(57)【特許請求の範囲】
【請求項１】
少なくとも、音楽データを記憶する第一の記憶部と、第一の入力手段と、楽譜や状態を表示する第一の表示部と、第一の通信部とを備えた第一のコンピュータシステムと、
音楽データを記憶する第二の記憶部と、第二の入力手段と、楽譜や状態を表示する第二の表示部と、第二の通信部とを備え、電子楽器が接続される第二のコンピュータシステムと、
前記第一のコンピュータシステムの前記第一の通信部と、前記第二のコンピュータシステムの前記第二の通信部を接続するネットワークとからなり、
前記第一のコンピュータシステムは、前記第二のコンピュータシステムに、楽譜データと、前記楽譜データの模範演奏データおよび演奏する際の注意点を記述した演奏指導データ等からなる教材データを送信するとともに、前記第二のコンピュータシステムから送られてくる演奏データを受信、再生し、演奏に対するアドバイスを前記第一の入力部より入力し、前記アドバイスを前記第一の通信部より第二のコンピュータシステムに送信し、
前記第二のコンピュータシステムは、前記第二の記憶部に、前記第一のコンピュータシステムから送られてくる前記教材データを格納し、前記模範演奏データを前記電子楽器あるいは前記第二のコンピュータシステムで再生するとともに、前記演奏指導データを前記第二の表示部に表示し、さらに前記楽譜データを前記第二の表示部に表示しながら前記電子楽器を演奏した演奏データを記録し、前記演奏データを前記第二の通信部より前記第一のコンピュータシステムに送信し、前記第一のコンピュータシステムから送られてくるアドバイスを表示および再生することを特徴とする楽器演奏教育システム。
【請求項２】
前記第一のコンピュータシステムにおいて、前記アドバイスを前記楽譜の特定の位置と関連付けて記録し、前記第二のコンピュータシステムに送出することを特徴とする請求項１に記載の楽器演奏教育システム。
【請求項３】
前記第一のコンピュータシステムは音声入力部を備え、前記アドバイスを音声で行うことを特徴とする請求項２に記載の楽器演奏教育システム。
【請求項４】
前記第一のコンピュータシステムは文字入力部を備え、前記アドバイスを文字入力で行い、前記楽譜データと共に前記第二のコンピュータシステムにある第二の表示部に表示することを特徴とする請求項２に記載の楽器演奏教育システム。
【請求項５】
前記第二のコンピュータシステムにおいて、前記楽譜データを前記第二の表示部に表示し、演奏者が前記電子楽器を演奏するに従い、前記演奏個所を表示するよう前記楽譜データをスクロールなどの方法により表示内容を変更し、前記アドバイスが添付されている個所の楽譜を表示した時点で、前記アドバイスも一緒に表示することを特徴とする請求項４に記載の楽器演奏教育システム。
【請求項６】
前記楽譜データはＭＩＤＩフォーマットであることを特徴とする請求項１に記載の楽器演奏教育システム。
【請求項７】
前記第一のコンピュータシステムは、前記第二のコンピュータシステムからの演奏データのタイミングや強弱の信号を前記楽譜データと比較し、相対的なタイミングのずれや強弱のずれを評価する評価手段を備え、前記評価手段の結果に基づきアドバイスを自動生成することを特徴とする請求項１に記載の楽器演奏教育システム。
【請求項８】
前記評価手段において、前記ずれのレベルを設定可能であり、前記設定されたずれのレベルに基づき前記アドバイスを自動生成することを特徴とする請求項７に記載の楽器演奏教育システム。
【請求項９】
前記第一のコンピュータシステムより送られてきた楽譜データを、前記第二のコンピュータシステムでリアルタイムに再生する手段を具備することを特徴とする請求項１に記載の楽器演奏教育システム。
【請求項１０】
前記第一のコンピュータシステムは、前記教材データベースの教材内容紹介データを前記第二のコンピュータシステムに送信する手段と、前記第二のコンピュータシステムから送られてくる受講申し込みデータに従い費用等をオンラインで処理する手段を具備し、前記第二のコンピュータシステムでは前記第一のコンピュータシステムから送られてくる前記教材内容紹介データを閲覧し、受講申し込みデータを送信することを特徴とする請求項１に記載の楽器演奏教育システム。
【発明の詳細な説明】
【０００１】
【発明の属する技術分野】
本発明は情報処理装置もしくはコンピュータ技術を応用した専用コントローラットと電子楽器およびネットワークを用いて、生徒と先生が離れた場所にいても楽器の演奏指導、教育を行う楽器演奏教育システムに関するものである。
【０００２】
【従来の技術】
近年、インターネット等の広域ネットワークの普及に伴い、ＭＰ３などの音楽データ等を家庭に居ながらにして自分のパソコンに取り込んで聞くことが可能になってきている。従来からの楽器についてもピアノを中心にして電子化が進み、ＭＩＤＩインターフェースによりパソコンと接続し、インターネットよりダウンロードしたＭＩＤＩデータを再生したり、あるいは、自分の演奏をＭＩＤＩデータに変換し、インターネット経由で他のパソコンに送ることが可能になってきている。
【０００３】
従来、ピアノなどの楽器演奏を習得する場合は、ピアノ教室または自宅において、定期的に先生の指導を受ける方法が一般的である。第２の方法として、書店等で販売される、ＣＤ付きの練習用の教材を購入し、ＣＤを聞きながら独習する方法がある。第３の方法として通信教育により宅配便などを利用して教材を受け取り、先生とのやりとりが可能なものもある。
【０００４】
【発明が解決しようとする課題】
第１の方法であるピアノ教室に通うという方法の場合、そのピアノ教室が開いている時間帯に講習を受ける時間を取る必要があり、多くの場合はかなりの時間的制約がある。また、その教室の所在地まで交通機関を利用して通学する必要があり、時間と費用が必要となる。そのため、仕事等で決まった時間が取れないといった場合はこういった教室の利用は難しい。第２の方法のＣＤ付き練習用教材を用いて独習しようとする場合は、演奏に対してのアドバイスを受ける手段がないため、自らの欠点に気づかず自己本位に陥りやすく、初心者には習得が難しい場合が多い。さらに第３の方法については従来の宅配等を利用した通信教育で教材を一方的に送ってくる方式のものでは個人的なアドバイスは受けられない。先生への質問等が可能な方式のものでも通常、生徒自身の演奏の録音システムまで含めると不充分であり、一貫したシステムはない。また、生徒側から質問等を送る場合は生徒自身が宅配便や郵便を出す必要があり、手間と時間を要する。
【０００５】
【課題を解決するための手段】
上述した課題を解決するため、本発明はネットワークで接続されたコンピュータシステムと前記コンピュータシステムに接続された電子楽器より構成されるシステムを用い、楽譜データと前記楽譜データの模範演奏データおよび演奏する際の注意点を記述した演奏指導データ等からなる教材データのデータベースを持つ。
【０００６】
先生側コンピュータシステム（以下先生側システムと称す）では、生徒側コンピュータシステム（以下生徒側システムと称す）から送られてくる生徒の演奏データを受信・再生し、生徒の演奏に対する先生のアドバイスを作成、送信する手段を具備する。
【０００７】
前記生徒側システムでは前記先生側システムから送られてきた模範演奏データを受信・再生するとともに、前記演奏指導データをコンピュータシステム上のディスプレイに表示し、さらに前記楽譜データをディスプレイに表示しながら、生徒自身が前記電子楽器を演奏した演奏データを記録し、前記先生側システムに送信する手段と先生側システムから送られてくるアドバイスを表示および再生する手段を具備したことを特徴とする楽器演奏教育システムである。
【０００８】
前記先生側システムでは前記教材データベースの教材内容紹介データを前記生徒側システムに送信する手段と、前記生徒側システムから送られてくる受講申し込みデータに従い費用等をオンラインで処理する手段を具備し、前記生徒側システムでは前記先生側システムから送られてくる前記教材内容紹介データを閲覧し、受講申し込みデータを送信する手段を具備する。
【０００９】
前記生徒側システムに前記先生側システムより送られてきた楽譜データから直接演奏を再生する手段を具備することにより、前記先生側システムの前記模範演奏データとその送信手段を省略することも可能である。
【００１０】
前記先生側システムにおいて前記生徒の演奏データをソフトウェアにより評価し、アドバイスを自動生成する手段を具備することにより、前記先生側コンピュータシステムに接続される前記電子楽器と前記生徒の演奏データの再生手段および先生によるアドバイス作成手段を省略することも可能である。
【００１１】
【発明の実施の形態】
本発明の請求項１に記載の発明は、少なくとも、音楽データを記憶する第一の記憶部と、第一の入力手段と、楽譜や状態を表示する第一の表示部と、第一の通信部とを備えた第一のコンピュータシステムと、音楽データを記憶する第二の記憶部と、第二の入力手段と、楽譜や状態を表示する第二の表示部と、第二の通信部とを備え、電子楽器が接続される第二のコンピュータシステムと、前記第一のコンピュータシステムの前記第一の通信部と、前記第二のコンピュータシステムの前記第二の通信部を接続するネットワークとからなり、前記第一のコンピュータシステムは、前記第二のコンピュータシステムに、楽譜データと、前記楽譜データの模範演奏データおよび演奏する際の注意点を記述した演奏指導データ等からなる教材データを送信するとともに、前記第二のコンピュータシステムから送られてくる演奏データを受信、再生し、演奏に対するアドバイスを前記第一の入力部より入力し、前記アドバイスを前記第一の通信部より第二のコンピュータシステムに送信し、前記第二のコンピュータシステムは、前記第二の記憶部に、前記第一のコンピュータシステムから送られてくる前記教材データを格納し、前記模範演奏データを前記電子楽器あるいは前記第二のコンピュータシステムで再生するとともに、前記演奏指導データを前記第二の表示部に表示し、さらに前記楽譜データを前記第二の表示部に表示しながら前記電子楽器を演奏した演奏データを記録し、前記演奏データを前記第二の通信部より前記第一のコンピュータシステムに送信し、前記第一のコンピュータシステムから送られてくるアドバイスを表示および再生することを特徴とする楽器演奏教育システムである。
【００１２】
前記電子楽器により入力した演奏データを、前記ネットワークを介して前記第一のコンピュータシステムに転送し、前記第一のコンピュータシステムでは、前記第二のコンピュータシステムから送られてくる演奏データを受信、再生し、演奏に対するアドバイスを前記第一の入力部より入力し、前記第一の通信部より前記第二のコンピュータシステムに送信する。
【００１３】
前記第二のコンピュータシステムでは前記第一のコンピュータシステムから送られてきた模範演奏データを受信，再生するとともに、前記演奏指導データを前記第二のコンピュータシステム上の前記第二の表示部に表示し、さらに前記楽譜データを前記第二の表示部に表示しながら前記電子楽器を演奏した演奏データを記録し、前記第一のコンピュータシステムに送信し、前記第一のコンピュータシステムから送られてくるアドバイスを表示および再生することを特徴とする楽器演奏教育システムであり、先生が遠隔地に居ても生徒の練習内容をリアルタイムで知ることが出来ると共に、練習個所にアドバイスを付けて生徒に返信することで、生徒に対して適切な指導が可能となる。
【００１４】
請求項５に記載の発明は、前記第二のコンピュータシステムにおいて、前記楽譜データを前記第二の表示部に表示し、演奏者が前記電子楽器を演奏するに従い、前記演奏個所を表示するよう前記楽譜データをスクロールなどの方法により表示内容を変更し、前記アドバイスが添付されている個所の楽譜を表示した時点で、前記アドバイスも一緒に表示することを特徴とする請求項４に記載の楽器演奏教育システムであり、生徒側が演奏の練習をしている途中で、かつ、演奏に問題の有る部分と改善に対する適切なアドバイスを受けることができるという作用を有する。
【００１５】
請求項７に記載の発明は、前記第一のコンピュータシステムは、前記第二のコンピュータシステムからの演奏データのタイミングや強弱の信号を前記楽譜データと比較し、相対的なタイミングのずれや強弱のずれを評価する評価手段を備え、前記評価手段の結果に基づきアドバイスを自動生成することを特徴とする請求項１に記載の楽器演奏教育システムであり、音楽演奏の基本的な音程、リズムについてのアドバイスを自動的に生成することができるという作用を有する。
【００１６】
請求項１０に記載の発明は、前記第一のコンピュータシステムは、前記教材データベースの教材内容紹介データを前記第二のコンピュータシステムに送信する手段と、前記第二のコンピュータシステムから送られてくる受講申し込みデータに従い費用等をオンラインで処理する手段を具備し、前記第二のコンピュータシステムでは前記第一のコンピュータシステムから送られてくる前記教材内容紹介データを閲覧し、受講申し込みデータを送信することを特徴とする請求項１に記載の楽器演奏教育システムであり、生徒側から所望する指導を選択することが容易に行えるという作用を有する。
【００１７】
以下、図面を参照しながらこの発明の実施形態について説明する。
【００１８】
（実施の形態１）
図１は本発明の一実施形態である楽器演奏教育システムのブロック図である。１は先生側システムで、ＣＰＵやハードディスクやメモリ等から構成される制御装置にディスプレイ等の出力装置とキーボードとマウス等の入力装置を接続した先生側コンピュータシステム１１とそれにＭＩＤＩインターフェース等で接続された電子楽器１２から構成される。
【００１９】
２は生徒側システムで、ハードディスクの容量やＣＰＵの性能など先生側コンピュータシステム１１ほどのものは必要ないが、基本的な構成は同様である。
【００２０】
先生側システム１と生徒側システム２は例えばインターネット等のネットワーク３を介して通信可能な状態にある。先生側コンピュータシステム１１には楽譜データやその楽曲を模範演奏した模範演奏データ、演奏の際の注意点を記述した演奏指導データ等からなる教材データベース１１１が蓄えられている。１１２は教材データベース１１１の内容を生徒に紹介するための教材紹介ソフトで通常はインターネットのホームページの形式で生徒側システム２に送られる。１１３は生徒側システム２から送られてくる受講申し込みデータに従って講座内容の設定や受講料の処理をする受講受付ソフトである。１１４は教材データを生徒側システム２に送るソフトである。１１５は生徒側システム２から送られてくる生徒自身が演奏した演奏データを受信するソフトで、受信された演奏データはいったんハードディスクに記録される。生徒の演奏データは演奏再生ソフト１１６によって電子楽器１２に送られ、音楽として再生される。１１７は先生が生徒の演奏を聞いて演奏に対するアドバイスを作成し、送信するソフトで通常のコメントはキーボード等を用いてテキストで記述されるが、必要な場合は演奏記録ソフト１１８を用いて電子楽器１２からアドバイス用の演奏を付け加えることも可能である。
【００２１】
生徒側コンピュータシステム２１には次のようなソフトウェアが乗っている。２１１は先生側システム１から送られてくる教材紹介のホームページを閲覧するソフトで、２１２は講座の申し込みを行う受講申し込みソフトである。２１３は教材データやアドバイスデータを受信するソフトで、受信したデータはいったんハードディスクに保存される。教材データの中の演奏指導データや楽譜データおよびアドバイスデータはデータ表示ソフト２１４により生徒側コンピュータシステムのディスプレイ上に表示される。また、教材データの中の模範演奏データやアドバイスデータに含まれる先生の演奏データは演奏再生ソフト２１５により電子楽器２２に送られ、音として再生される。２１６は生徒が電子楽器２２を演奏した演奏データを記録するソフトでその演奏データは演奏送信ソフト２１７により先生側システム１に送られる。
【００２２】
図２に教材データベース１１１のデータ内容の一例を示す。教材データベースには複数の楽曲データが収められている。各楽曲データの中には曲名、音楽ジャンル、演奏難易度、楽譜データ、模範演奏データ、演奏指導データ等が収められている。模範演奏データはその楽曲を先生レベルの熟達者が演奏した演奏データである。また、演奏指導データは生徒が演奏する際に注意すべき点をテキスト形式で記述したデータである。教材データベース１１１の中には上記楽曲データ以外に各楽曲を音楽ジャンル、難易度によって分け、生徒が選択する講座の内容を記述した講座データなども含まれる。
【００２３】
図３のフローチャートを用いて本楽器演奏教育システムにおける処理の流れを説明する。先生側システム１ではホームページ等により教材の紹介を行う（Ｓ３０１）。このホームページを公開するサーバーは先生側システム１と共用しても、インターネットプロバイダにより提供される独立したサーバーであっても良い。内容としては楽曲の紹介以外に生徒の演奏能力、習いたい音楽ジャンル等によって様々な講座を選択できるようになっており，また、受講料等も表示する。生徒側システム２では教材を閲覧し（Ｓ３０２）、自分の希望する講座を選択する（Ｓ３０３）。さらに受講申し込みを行う（Ｓ３０４）。先生側システム１では生徒から送られてきた受講申し込みデータの内容に従い、受講の受け付けを行う（Ｓ３０５）と同時に受講料の費用処理を行う（Ｓ３０６）。インターネットを利用した費用処理の方法についてはクレジットカードなどの方法が一般的であるため、ここでは詳細な説明は省略する。生徒が選択した講座内容に従い、最初の教材データの送信を行う（Ｓ３０７）。生徒側システムでは送られてきた教材データから模範演奏データを電子楽器により再生し（Ｓ３０８）、また、演奏の際の演奏指導データをディスプレイに表示して（Ｓ３０９）、生徒は楽曲の概要と演奏のポイントをつかむ。生徒はディスプレイ上に表示された楽譜データを参照し（Ｓ３１０）、電子楽器を演奏し、それを繰り返して演奏の練習をする。ある程度、演奏できるようになった時点で演奏データの記録を行い（Ｓ３１１）、またそれを繰り返して一番よい演奏データを先生側システム１に送信する（Ｓ３１２）。先生側システム１では生徒側システム２より送られてきた演奏データを受信、再生し（Ｓ３１３）、先生は生徒の演奏に対するアドバイスを作成する（Ｓ３１４）。アドバイスは通常、テキスト形式で記述されるが、場合によっては先生側システム１にある電子楽器を使用してアドバイス用の演奏データを記録し（Ｓ３１５）、テキストで記述したアドバイスといっしょにアドバイスデータとして、生徒側システム２に送信することができる（Ｓ３１６）。先生は生徒の演奏のレベルによって、次の楽曲に進むかどうかを判断する（Ｓ３１７）。生徒側システム２では先生側システム１から送られてきたアドバイスデータをディスプレイ上に表示もしくは演奏を再生し（Ｓ３１８）、更なる演奏能力のレベルアップに役立てる。同じ楽曲を再度練習するようにアドバイスされている場合はアドバイスの内容を考慮しながら再度、演奏の練習をし、演奏データを先生側システム１に送ることを繰り返す。次の楽曲に進む場合は先生側システム１より新たな楽曲の教材データを受信する（Ｓ３１９）。
【００２４】
（実施の形態２）
図１においては生徒側コンピュータシステムはＣＰＵやハードディスクやメモリ等から構成される制御装置にディスプレイ等の出力装置とキーボードとマウス等の入力装置を接続した一般的なコンピュータシステムとした。しかしながら、電子楽器の上において、楽譜表示をしながら生徒が演奏することを考えると、専用コントローラで構成するほうがより利便性が高い。図４に生徒側システム１に専用コントローラを用いて構成した実施形態を示す。コントローラ４１は基本的にはＣＰＵやハードディスク、メモリー等で構成されたコンピュータシステムで、ネットワーク回線４２によりインターネットを介して先生側システムと通信できる状態にある。また、ＭＩＤＩインターフェース４３等により電子楽器２２に接続されている。コントローラ４１には電子楽器２２の譜面台に乗る程度のサイズのディスプレイ４４が接続されており、楽譜データやアドバイスを表示する。さらにコントローラ４１にはディスプレイ上に表示されるカーソルを移動するための何らかの入力デバイス４５が用意されており、それにより、メニュー画面の選択を行う。入力デバイスとしてはコントローラ４１上に操作面を持つものでも、赤外線リモコンによる入力部を持つものでも、ディスプレイ４４に操作するタッチパネルであってもよい。
【００２５】
（実施の形態３）
図５に別の実施形態を示す。図１のシステムでは教材データベース１１１に楽譜データと模範演奏データをそれぞれ用意した。それは先生レベルの熟達者の演奏をデータ化することにより、楽譜には出てこない微妙な音楽上の表現を生徒側システム６で再現するためである。しかしながら、初心者の場合はそういった微妙な表現まで必要ではなく、楽譜に対して正確に演奏できることを求める場合が多い。また、再生ソフトウェアの工夫によってはある程度の音楽的表現も可能である。図５の先生側コンピュータシステム５１では上記の理由から模範演奏データを削除した教材データベース５１１を用いる。生徒側コンピュータシステム６１では楽譜データ再生ソフト６１１により、楽譜データから直接、音楽を再生する。また、生徒へのアドバイスについても初心者の演奏の場合、音の強弱や鍵盤をタッチするタイミングの微妙なずれなどをソフトウェアにより評価し、アドバイスを自動作成することも可能である。先生側コンピュータシステム５１における自動アドバイス作成・送信ソフト５１２はそういった機能を実現するもので、生徒の演奏からリズムの乱れや音程の間違い、強弱のつけ方等のあらかじめ決まった項目について、楽譜データと比較することによって評価し、アドバイスを作成するものである。これによって、先生側のシステムにはアドバイスをする先生となる人が必要でなくなり、自動化されたシステムを実現することができる。
【００２６】
図６に先生側コンピュータシステム５１における教材データベース５１１の一例を示す。図２に示した教材データベース１１１の内容から模範演奏データを削除したものとなっている。
【００２７】
【発明の効果】
以上説明してきた様に、本発明は、ネットワークで接続されたコンピュータシステムと電子楽器を用い、先生側システムと生徒側システムとの間で教材データや生徒の演奏データおよび生徒の演奏に対する先生のアドバイスをやり取りすることによって、自宅にいながら時間的または場所的な制約を受けずに、かつ先生による個人的なアドバイスを受けながら楽器演奏の習得を可能とする楽器演奏教育システムに関するものである。これにより、仕事等により時間の取れない人でも気楽に楽器演奏の講座を受講でき、また、遠隔地で周辺に適当な楽器演奏を教授する教室のないようなところでも楽器演奏の講座を受講できる。
【００２８】
また、初心者を対象とするシステムでは楽譜データから直接楽曲を再生する手段と、生徒の演奏を入力し、その演奏内容を楽譜と比較することにより評価およびアドバイスの作成をソフトウェアにより自動化する手段を具備することにより、先生側システムにおいて先生を拘束しない自動化された楽器演奏教育システムを構築することが可能である。
【図面の簡単な説明】
【図１】本発明の第１の実施形態を示すブロック図
【図２】本発明の第１の実施形態における教材データベースの内容説明図
【図３】本発明の第１の実施形態における処理手順を示すフローチャート
【図４】本発明の専用コントローラを用いた場合の第２の実施形態を示す生徒側システムの外観図
【図５】本発明の第３の実施形態を示すブロック図
【図６】本発明の第３の実施形態における教材データベースの内容説明図
【符号の説明】
１  第１の実施形態における先生側システム
２  第１の実施形態における生徒側システム
３  ネットワーク
５  第３の実施形態における先生側システム
６  第３の実施形態における生徒側システム
１１  第１の実施形態における先生側コンピュータシステム
１２  先生側システムの電子楽器
２１  第１の実施形態における生徒側コンピュータシステム
２２  生徒側システムの電子楽器
４１  コントローラ
４２  ネットワーク回線
４３  ＭＩＤＩインターフェース
４４  ディスプレイ
４５  カーソル入力デバイス
５１  第３の実施形態における先生側コンピュータシステム
６１  第３の実施形態における生徒側コンピュータシステム
１１１  第１の実施形態における教材データベース
１１２  教材紹介ソフト
１１３  受講受付ソフト
１１４  教材データ送信ソフト
１１５  演奏データ受信ソフト
１１６  先生側コンピュータシステムにおける演奏再生ソフト
１１７  アドバイス作成・送信ソフト
１１８  先生側コンピュータシステムにおける演奏記録ソフト
２１１  教材閲覧ソフト
２１２  受講申し込みソフト
２１３  教材データ・アドバイスデータ受信ソフト
２１４  データ表示ソフト
２１５  生徒側コンピュータシステムにおける演奏再生ソフト
２１６  生徒側コンピュータシステムにおける演奏記録ソフト
２１７  演奏送信ソフト
５１１  第３の実施形態における教材データベース
５１２  自動アドバイス作成・送信ソフト
６１１  楽譜データ再生ソフト
【図１】
0003729019.tif 000002
【図２】
0003729019.tif 000003
【図３】
0003729019.tif 000004
【図４】
0003729019.tif 000005
【図５】
0003729019.tif 000006
【図６】
0003729019.tif 000007